(57)【要約】【課題】書込み口を小型化して本体前面に設けて書込みし易くできる。【解決手段】  本体１と、本体１の上部を覆うトッププレート２と、本体１の中でトッププレート２の下方に設けた加熱コイル５と、加熱コイル５に電力を供給しプログラムの書換え可能なフラッシュマイコンを複数搭載したインバータ回路３１２と、加熱コイル５の火力を設定する上面操作部１２と、上面操作部１２の設定に応じてインバータ回路３１２の動作を制御する制御手段３０７とを備え、前記複数のマイコンはお互いに電気的通信が可能に接続され、前記マイコンのひとつに本体１外部から電気的に接続が可能な端子１８を接続し、端子１８に接続した前記マイコンに端子１８に接続されていない前記マイコンのプログラムを書き換えるソフトを入力し、端子１８に接続されている前記マイコンを介し記端子１８に接続されていない前記マイコンのプログラムを自由に書換えができるものである。【選択図】  図５
2014041736.tif 000002
【特許請求の範囲】
【請求項１】
本体と、該本体の上部を覆うトッププレートと、前記本体の中で前記トッププレートの下方に設けた加熱コイルと、該加熱コイルに電力を供給しプログラムの書換え可能なフラッシュマイコンを複数搭載したインバータ回路と、前記加熱コイルの火力を設定する上面操作部と、該上面操作部の設定に応じて前記インバータ回路の動作を制御する制御手段とを備え、前記複数のマイコンはお互いに電気的通信が可能に接続され、前記マイコンのひとつに前記本体外部から電気的に接続が可能な端子を接続し、該端子に接続した前記マイコンに前記端子に接続されていない前記マイコンのプログラムを書き換えるソフトを入力し、前記端子に接続されている前記マイコンを介して前記端子に接続されていない前記マイコンのプログラムを自由に書換えができることを特徴とする誘導加熱調理器。
【発明の詳細な説明】
【技術分野】
【０００１】
本発明は、フラッシュマイコンにプログラムソフトを書き込む誘導加熱調理器に関するものである。
【背景技術】
【０００２】
従来の誘導加熱調理器においては、不具合や性能向上のために仕様変更、制御プログラムを書き換える場合がある。書込み作業を容易にするため、マイコンの書込みコネクタを本体外側の近くに配置して、製品の外から書き込みできるものである。
【０００３】
例えば、特許文献１には、切換窓の中に配置した制御書込みコネクタから制御基板の制御マイコンへ書込み、ＩＨ書込みコネクタからインバータ基板のＩＨマイコンに書込みを行なう誘導加熱調理器が記載されている。
【先行技術文献】
【特許文献】
【０００４】
【特許文献１】特開２０１０−２７７６９１号公報
【発明の概要】
【発明が解決しようとする課題】
【０００５】
近年加熱調理器においては、非磁性体の鍋も誘導加熱するものがあり、非磁性体の鍋を加熱する基板構成が大きいものであり、マイコンは安価であるのでアナログ回路をマイコンの中へ取り込むマイコン化が進んでいる。それらのマイコンはフラッシュマイコンが使われている。しかしマイコンが増えるに従って、書込みコネクタを上記した特許文献１に記載されたように増やして設けると、本体外側の切換窓が大型化して本体前面に設けられないという問題がある。
【課題を解決するための手段】
【０００６】
本発明は、上記の課題を解決するためになされたものであり、本体と、該本体の上部を覆うトッププレートと、前記本体の中で前記トッププレートの下方に設けた加熱コイルと、該加熱コイルに電力を供給しプログラムの書換え可能なフラッシュマイコンを複数搭載したインバータ回路と、前記加熱コイルの火力を設定する上面操作部と、該上面操作部の設定に応じて前記インバータ回路の動作を制御する制御手段とを備え、前記複数のマイコンはお互いに電気的通信が可能に接続され、前記マイコンのひとつに前記本体外部から電気的に接続が可能な端子を接続し、該端子に接続した前記マイコンに前記端子に接続されていない前記マイコンのプログラムを書き換えるソフトを入力し、前記端子に接続されている前記マイコンを介して前記端子に接続されていない前記マイコンのプログラムを自由に書換えができるものである。
【発明の効果】
【０００７】
本発明によれば、書込みする端子の数をマイコンの数より少なくできるので、書込み口を小型化して本体前面に設けて書込みし易くできる。
【図面の簡単な説明】
【０００８】
【図１】一実施例に係る誘導加熱調理器をシステムキッチンに組み込んだ状態の斜視図。
【図２】同誘導加熱調理器の斜視図。
【図３】図２のＡ−Ａ断面図。
【図４】一実施例に係る誘導加熱調理器の本体前面の書込み口を説明する正面図（（ａ）化粧カバーを外した状態、（ｂ）書込み口蓋を外した状態）。
【図５】同誘導加熱調理器の書込み中継基板とマイコンの書込み経路を説明するブロック図。
【図６】同誘導加熱調理器のマイコンの通信経路を示す説明図。
【図７】同誘導加熱調理器の回路構成を説明するブロック図。
【図８】同誘導加熱調理器の上面操作部と上面表示部の上面図。
【図９】同誘導加熱調理器の前面操作部の説明図。
【発明を実施するための形態】
【０００９】
以下、本発明の実施例を添付図面に従って説明する。
【００１０】
図１は、実施例１の誘導加熱調理器をシステムキッチンに組み込んだ状態の斜視図である。図２は、誘導加熱調理器の斜視図である。
【００１１】
図１、図２において、１は、誘導加熱調理器の本体である。２は、本体１の上面を覆うトッププレートで、耐熱性の高い素材、例えば、結晶化ガラス等が用いられ、その上面には鍋等の被加熱物６０（図３）が載置される。３は、トッププレート枠であり、トッププレート２の端部を覆うもので、該トッププレート２の間にはシール材が充填されており、これによりトッププレート枠３はトッププレート２に固着されている。そして、トッププレート２の上に液体がこぼれても、シール材により本体１内部への水の浸入が防止され水密構造が実現される。また、トッププレート枠３は本体１にも固定されていて、本体１をシステムキッチン１３に組み込むときには、トッププレート枠３で本体１を吊り下げて設置される。４は、鍋位置表示部であり、トッププレート２の上面に設けられ、鍋等の被調理物６０の載置場所を表示している。
【００１２】
５は、加熱コイルで、トッププレート２に略水平になるように鍋位置表示部４の下方の本体１内に設けられており、加熱コイル５に高周波電流を印加して高周波磁界を発生させ、トッププレート２に載置された鍋等の被調理物６０を誘導加熱する。手前側左右に配置する加熱コイル５は、非磁性金属製（例えばアルミや銅）の鍋等の被調理物６０を誘導加熱するもので、奥側中は鉄、磁性体ステンレス製の鍋等の被調理物６０を誘導加熱するものである。
【００１３】
６は、グリル加熱手段であり、加熱コイル５の下方で本体１の左側または右側（本実施例では左側）の本体１前面部に設けられ、矩形状の箱体で構成されていて、中に入れられた被加熱物を加熱するシーズヒータ等の加熱手段を有している。７は、グリル加熱手段６の扉で、とって７ａが設けられており、グリル加熱手段６の内部には扉７に伴って出し入れ可能な受け皿（図示せず）が収納されている。
【００１４】
８は、トッププレート枠３の後枠部に開口する吸気部であり、後記するインバータ回路や加熱コイル５等を冷却する空気を吸気する。９は、トッププレート枠３の後枠部に開口する排気部であり、インバータ回路や加熱コイル５等を冷却した空気やグリル加熱手段６からの排煙を排気する。そして、吸気部８、及び排気部９は、トッププレート２上にこぼした液体が開口部から吸気部８や排気部９内に落下しても本体１内部のインバータ回路等に浸入しない構成となっている。
【００１５】
１０は、開閉収納式の前面操作部で、主にグリル加熱手段６を操作するものであり、本実施例ではグリル加熱手段６の隣に位置するように本体１の前面右側に設けられている。また、前面操作部１０は、閉じているときに上部を本体１側に押すことによりロック装置（図示せず）が解除され、前面操作部１０の上部が前面側にバネと制御装置（図示せず）により前面側にゆっくりと回動して飛び出すようになっており、逆に閉じるときは上部を本体１側に向かって押し込むことにより本体１に収納され、ロック装置により保持される構成となっている。なお、図１は前面操作部１０が開いている状態を示し、図２は前面操作部１０が閉じている状態を示す。前面操作部１０の前面操作キー１０ａは、グリル加熱手段６のシーズヒータを入切する等の操作を行い、前面操作キー１０ａで操作した内容は前面表示部１０ｂで使用者に判り易く表示される。前面操作キー１０ａには、グリル加熱手段６の加熱の開始停止を操作する切／スタートキー８０、調理の仕上がりを設定する仕上がりキー５９が設けられ、仕上がりキー５９は、図９に示すようにダウンキー５９ａ、アップキー５９ｂを備える。
【００１６】
１１は、電源切／入スイッチで、本体１前面に設けられ、本体１の主電源の入切を行う。７１は、前面操作部１０の上部に配置して、前面操作部１０と意匠的に統一するための化粧カバーで、本体１をシステムキッチン１３に組み込んだ状態で、本体１の前面から着脱できるものである。
【００１７】
１２は、上面操作部で、トッププレート２の前側に設けられており、夫々の加熱コイル５の出力等を調整するキーを配列し、上面操作部左１２ｂ、上面操作部中央１２ｃ、上面操作部右１２ａから構成され、図８に示すように上面操作部左１２ｂには、加熱コイル５の加熱の開始停止を操作する切／スタートキー５６を設け、上面操作部右１２ａには、加熱コイル５の加熱の開始停止を操作する切／スタートキー４８を設けている。１４は、上面表示部で、上面操作部１２で設定した内容を表示するＬＣＤ、ＬＥＤを配列して、上面表示部左１４ｂ、上面表示部中央１４ｃ、上面表示部右１４ａから構成されている。
【００１８】
図３は図２の誘導加熱調理器のＡ−Ａ断面図である。図３において、本体１の後部には吸気口８からの空気を本体１内に送風する冷却ファン７２を備える。冷却ファン７２の出口は基板ケース７３に接続され、基板ケース７３を通り後述のインバータ回路３１２と中インバータ回路３０６と加熱コイル５を冷却して排気口９から排気する。
【００１９】
基板ケース７３には、インバータ回路３１２と中インバータ回路３０６を重ねて配置している。基板ケース７３中段には、左インバータ回路３０５を収めている。左インバータ回路３０５は手前側左の加熱コイル５を動作する。基板ケース７３下段には、右インバータ回路３０４を収めている。右インバータ回路３０４は手前側右の加熱コイル５を動作する。基板ケース７３上段には、中インバータ回路３０６を収めている。中インバータ回路３０６は奥側中の加熱コイル５を動作する。
【００２０】
左インバータ回路３０５は、ＩＧＢＴとヒートシンクを搭載した左インバータ基板２１と左インバータ基板２１の上方前寄りに配置した左インバータマイコン基板２１ｂで構成する。左インバータ基板２１にはプログラムの書換え可能なフラッシュマイコンからなる左コンバータ制御マイコン２１ａを搭載し、左インバータマイコン基板２１ｂにはプログラムの書換え可能なフラッシュマイコンからなる左インバータ制御マイコン２１ｃを搭載する。左インバータ基板２１の左コンバータ制御マイコン２１ａと、左インバータマイコン基板２１ｂの左インバータ制御マイコン２１ｃとは電気的通信が可能に接続し、被加熱物６０を加熱するときには、左インバータ制御マイコン２１ｃから左コンバータ制御マイコン２１ａに設定された火力となる出力の信号を送っている。
【００２１】
手前側左に配置する加熱コイル５で非磁性金属の鍋等の被調理物６０を誘導加熱するために、左インバータ回路３０５には、コンバータ部とインバータ部を備え、左コンバータ制御マイコン２１ａ、左インバータ制御マイコン２１ｃを搭載する。
【００２２】
右インバータ回路３０４は、ＩＧＢＴとヒートシンクを搭載した右インバータ基板２０と右インバータ基板２０の上方前寄りに配置した右インバータマイコン基板２０ｂで構成する。右インバータ基板２０にはプログラムの書換え可能なフラッシュマイコンからなる右コンバータ制御マイコン２０ａを搭載し、右インバータマイコン基板２０ｂにはプログラムの書換え可能なフラッシュマイコンからなる右インバータ制御マイコン２０ｃを搭載する。右インバータ基板２０の右コンバータ制御マイコン２０ａと、右インバータマイコン基板２０ｂの右インバータ制御マイコン２０ｃとは電気的通信が可能に接続し、被加熱物６０を加熱するときには、右インバータ制御マイコン２０ｃから右コンバータ制御マイコン２０ａに設定された火力となる出力の信号を送っている。
【００２３】
手前側右に配置する加熱コイル５で非磁性金属の鍋等の被調理物６０を誘導加熱するために、右インバータ回路３０４には、コンバータ部とインバータ部を備え、右コンバータ制御マイコン２０ａ、右インバータ制御マイコン２０ｃを搭載する。中インバータ回路３０６は、ＩＧＢＴとヒートシンクを搭載した中インバータ基板２２で構成する。中インバータ基板２２に中インバータ制御マイコン２２ｃを搭載する。
【００２４】
奥側中に配置する加熱コイル５で磁性金属製の鍋等の被調理物６０を誘導加熱するために、中インバータ回路３０６には、インバータ部を備え、中インバータ制御マイコン２２ｃを搭載する。
【００２５】
本体１の基板ケース７３の上方には、本体１の動作のすべてを統括して制御する制御手段３０７を備え、制御手段３０７にはメインマイコン２４を備える。また本体1の上面表示部１４、前面表示部１０ｂでの表示を制御する表示マイコン２３を上面表示部１４に繋がる表示基板に搭載している。
【００２６】
本体1には、左コンバータ制御マイコン２１ａ、左インバータ制御マイコン２１ｃ、右コンバータ制御マイコン２０ａ、右インバータ制御マイコン２０ｃ、中インバータ制御マイコン２２ｃ、メインマイコン２４、表示マイコン２３を備え、何れもプログラムソフトの書込み書換えが自在のフラッシュマイコンである。
【００２７】
次に、図３、図４、図５を用いて、書込み口１７について説明する。
【００２８】
前側操作部１０の上方の化粧カバー７１の内側にプログラムソフトを書込むために略垂直面に開口した書込み口１７を設けている。化粧カバー７１を外すと略垂直面に開口した書込み口１７を塞ぐ書込み口蓋１６を備え書込み蓋ネジ１６ａで固定されている。書込み口１７内部には略水平に書込み中継基板１９を設けている。そして書込み中継基板１９には、略垂直面に開口した書込み口１７の前側から水平方向に抜き差しする型のコネクタで構成するメイン・表示端子１８ｃ、左端子１８ａ、中端子１８ｄ、右端子１８ｂの４個を備える。
【００２９】
左端子１８ａは、左インバータマイコン基板２１ｂに搭載する左インバータ制御マイコン２１ｃに電気的通信で連結している。また、左インバータ制御マイコン２１ｃと左コンバータ制御マイコン２１ａは電気的通信で連結している。右端子１８ｂは、右インバータマイコン基板２０ｂに搭載する右インバータ制御マイコン２０ｃに電気的通信で連結している。また、右インバータ制御マイコン２０ｃと右コンバータ制御マイコン２０ａは電気的通信で連結している。メイン・表示端子１８ｃは、制御手段３０７に搭載するメインマイコン２４と表示基板に搭載した表示マイコン２３に電気的通信で連結している。中端子１８ｄは、中インバータ基板２２に搭載する中インバータ制御マイコン２２ｃに電気的通信で連結している。
【００３０】
図７は誘導加熱調理器の回路構成を説明するブロック図である。図７において、３０１は、誘導加熱調理器に入力する商用の交流電源である。３０２は、グリル加熱手段６の内部に入れられた被加熱物を加熱するシーズヒータである。３０３は、シーズヒータ３０２の通電を制御するヒータ制御回路である。３０５は、手前側左の加熱コイル５の通電を制御する左インバータ回路である。３０４は、手前側右の加熱コイル５の通電を制御する右インバータ回路である。３０６は、奥側中の加熱コイル５の通電を制御する中インバータ回路である。
【００３１】
３０７は、マイクロコンピュータで構成された制御手段でメインマイコン24を搭載して、前面操作キー１０ａや、上面操作部１２の操作信号を入力し、前面表示部１０ｂや上面表示部１４に表示信号を出力する。また、シーズヒータ３０２の通電を制御するヒータ制御回路３０３や、加熱コイル５の通電を制御するインバータ回路３１２と中インバータ回路３０６に制御信号を出力する。３１１は、温度検出器で、トッププレート２の下面の温度を検出し、被加熱物である被加熱物６０の温度を、トッププレート２を介して検出する。３０８は、フィルタ回路を搭載したフィルタ手段であり、インバータ回路３１２と中インバータ回路３０６より生じる雑音ノイズを抑制し、雑音ノイズが商用電源３０１に漏洩することを防ぐ。
【００３２】
本実施例は、以上の構成からなり、左インバータ回路３０５に搭載されている左コンバータ制御マイコン２１ａのプログラムソフトを書込む動作について説明する。図６はマイコンの通信経路を示す説明図である。
【００３３】
まず、システムキッチン１３に組込んだ本体１の電源プラグを商用の交流電源３０１から外す。
【００３４】
また、ロムライターに、一体プログラムソフトを書込んでおく。一体プログラムソフトとは、左インバータ制御マイコン２１ｃから左コンバータ制御マイコン２１ａへ書込むための書込み用プログラムソフトと、左コンバータ制御マイコン２１ａが動作制御をするための実行用コンバータプログラムソフトとが一体になったものである。但し、左インバータ制御マイコン２１ｃのプログラムを記憶する容量に余裕が有る場合は、事前に左コンバータ制御マイコン２１ａへ書込むための書込み用プログラムソフトを記憶しておくと良い。
【００３５】
次に、システムキッチン１３に組込んだ本体１の前側の化粧カバー７１を外す。その後、書込み蓋ネジ１６ａを外し、書込み口蓋１６を外して、書込み口１７を開口する。書込み口１７の内部に設けた書込み中継基板１９の左端子１８ａに、ロムライターの端子を接続する。そして、ロムライターから左端子１８ａに電気通信的に連結する左インバータ制御マイコン２１ｃに、左コンバータ制御マイコン２１ａへの書込み用プログラムソフトと左コンバータ制御マイコン２１ａの実行用コンバータプログラムソフトとが一体になった一体プログラムソフトを書込む。
【００３６】
次に、本体１の電源プラグを商用の交流電源３０１に接続し、電源切／入スイッチ１１で電源を入れ、前面操作部１０の仕上がりキー５９のダウンキー５９ａとアップキー５９ｂの両方のキーを押した後に、切／スタートキー８０を押す。すると「検査モード６」が立ち上がる。「検査モード６」は、左コンバータ制御マイコン２１ａの書換えモードである。
【００３７】
次に、上面操作部１２の上面操作部左１２ｂの切／スタートキー５６を押す。すると、メインマイコン２４から左インバータ制御マイコン２１ｃへ左コンバータ制御マイコン２１ａへの書込みをするように指示を出す。その指示によって、左インバータ制御マイコン２１ｃから左コンバータ制御マイコン２１ａへ、左コンバータ制御マイコン２１ａの実行用プログラムソフトを書込む。書込みに続いて、ベリファイ、チェックサムを実行して、左コンバータ制御マイコン２１ａへの実行用プログラムソフトの書込みが完了する。
【００３８】
左コンバータ制御マイコン２１ａへの書込み、ベリファイ、チェックサムが終了すると左インバータ制御マイコン２１ｃはメインマイコン２４に書込み終了を伝える。チェックサムチェックがＯＫならば、「ＰＡＳ」を、エラーの場合は「ｎＧ」を上面表示部左１４ｂに表示する。そして、電源切／入スイッチ１１で電源を切る。
【００３９】
ロムライターに、左インバータ制御マイコン２１ｃ動作制御をするための実行用インバータプログラムソフトを書込んでおく。
【００４０】
書込み口１７の内部に設けた書込み中継基板１９の左端子１８ａに、ロムライターの端子を接続する。そして、ロムライターから左端子１８ａに電気通信的に連結する左インバータ制御マイコン２１ｃに、実行用インバータプログラムソフトを書込む。これは、先ほど左インバータ制御マイコン２１ｃに書込んだ一体プログラムソフトを削除して実行用インバータプログラムソフトを書込むものである。ロムライターにより書込み、ベリファイ、チェックサムが行なわれて完了する。
【００４１】
ここでは、一体プログラムソフトには、左コンバータ制御マイコン２１ａが動作制御をするための実行用コンバータプログラムソフトの全体を含み、左インバータ制御マイコン２１ｃから左コンバータ制御マイコン２１ａへ書込むための書込み用プログラムソフトと合わせた容量が、左インバータ制御マイコン２１ｃの容量よりも小さい場合である。
【００４２】
仮に、実行用コンバータプログラムソフトが大きな容量の場合には、一体プログラムソフトが左インバータ制御マイコン２１ｃの容量よりも大きくなる場合がある。その場合は、実行用コンバータプログラムソフトを分割して書込み用プログラムソフトと一体になった一体プログラムを分割した数分を備える。複数の一体プログラムをロムライターから左端子１８ａへ書込みを行ない、左インバータ制御マイコン２１ｃから左コンバータ制御マイコン２１ａへ書込むことを繰り返して行なうものである。
【００４３】
以上は左インバータ回路３０５のプログラムソフトを書込む動作について説明したが、前述の構成に示すように、右インバータ回路３０４も、左インバータ回路３０５と同様の構成である。そのため、右インバータ回路３０４への書込みは、左インバータ回路３０５への書込みと同様の手順で行なう。
【００４４】
右端子１８ｂから右インバータ制御マイコン２０ｃに一体プログラムソフトを書込んだ後、操作部７０の操作によってメインマイコン２４から右インバータ制御マイコン２０ｃへの指示で右インバータ制御マイコン２０ｃから右コンバータ制御マイコン２０ａへ実行用プログラムソフトの書込みが完了し、その後右端子１８ｂから右インバータ制御マイコン２０ｃへ一体プログラムソフトを削除して実行用インバータプログラムソフトを書込むものである。
【００４５】
なお、プログラムを書換えは、上記したマイコンに限定するものでなく、例えばメインマイコン２４にロムライターを接続して、メインマイコン２４から表示マイコン２３に新しいプログラムを書き込んでも良く、反対に、表示マイコン２３にロムライターを接続して、表示マイコン２３からメインマイコン２４に新しいプログラムを書き込んでも良い。また、接続されるマイコンは２個に限定されることは無く、複数のマイコンを介して最終的にマイコンに新しいプログラムを書き込んでも良い。
【００４６】
上記した本実施例によれば、書込みする左端子１８ａから左インバータ制御マイコン２１ｃを経由して左コンバータ制御マイコン２１ａへ実行用プログラムソフトを書込むことにより、書込みする端子の数をマイコンの数より少なくできるので、書込み口１７を小型化して本体前面１ａに設けて書込みし易くできる。
【符号の説明】
【００４７】
１  本体、  １ａ  本体前面、  ２  トッププレート、  ５  加熱コイル、
１２  上面操作部、  
１７  書込み口、
１９  書込み中継基板、  １８  端子、１８ａ  左端子、  １８ｂ  右端子、
２０  右インバータ基板、  ２０ａ  右コンバータ制御マイコン、
２０ｂ  右インバータマイコン基板、  ２０ｃ  右インバータ制御マイコン、
２１  左インバータ基板、  ２１ａ  左コンバータ制御マイコン、
２１ｂ  左インバータマイコン基板、  ２１ｃ  左インバータ制御マイコン、
２４  メインマイコン、  ７０  操作部、  ３０４  右インバータ回路、
３０５  左インバータ回路、  ３０６  中インバータ回路、
３０７  制御手段、  ３１２  インバータ回路、
【図１】
2014041736.tif 000003
【図２】
2014041736.tif 000004
【図３】
2014041736.tif 000005
【図４】
2014041736.tif 000006
【図５】
2014041736.tif 000007
【図６】
2014041736.tif 000008
【図７】
2014041736.tif 000009
【図８】
2014041736.tif 000010
【図９】
2014041736.tif 000011